(57)【特許請求の範囲】
【請求項１】
店舗内スペースである商品陳列スペースに、互いに離間しかつ平行に複数の陳列棚が設置され、前記商品陳列スペースの内外を仕切るとともに前記複数の陳列棚に平行となる一側面の壁部に、前記商品陳列スペースに外光を取り込むための採光面部が設けられている店舗に適用され、
前記店舗には、前記複数の陳列棚と前記壁との間、及び陳列棚同士の間に、複数の通路スペースが設けられており、
前記商品陳列スペースの天井において前記複数の通路スペースごとに設けられる複数の照明機器と、
太陽光発電を実施する太陽光発電装置と、
前記太陽光発電装置から前記複数の照明機器に対して各々電力を供給する電力経路、及びそれら電力経路ごとに電力量を調整する電力調整手段を有する第１給電回路部と、
前記採光面部に対する各照明機器の位置に応じて、前記太陽光発電装置から前記複数の照明機器への電力供給を前記電力調整手段により照明機器ごとに制御する制御手段と、
を備え、
さらに、
商用電力を前記複数の照明機器に対して各々供給する第２給電回路部と、
前記太陽光発電装置の発電電力を算出する発電電力算出手段と、
前記複数の通路スペースにおける照度情報を取得する取得手段と、
前記取得手段により取得した各通路スペースの照度情報に基づいて、前記複数の照明機器の駆動に要する総駆動電力を算出する駆動電力算出手段と、
を備え、
前記制御手段は、前記駆動電力算出手段により算出した前記総駆動電力に対して前記発電電力算出手段により算出した前記発電電力が不足する発電電力不足時に、前記複数の照明機器のうち前記発電電力の供給されない前記照明機器に対して前記第２給電回路部を介して前記商用電力を供給し、
また、前記制御手段は、前記発電電力不足時において、前記採光面部から離れた照明機器ほど先に前記発電電力により照明機器を駆動させることが可能か否かを判定し、その判定の結果当該照明機器を駆動させることが可能である場合には当該照明機器にそれよりも前記採光面部側にある照明機器より優先させて前記発電電力を供給することを特徴とする店舗用照明制御システム。
【請求項２】
前記制御手段は、前記発電電力不足時において、前記採光面部から離れた照明機器ほど先に前記発電電力により照明機器を駆動させることが可能か否かを判定し、判定の結果当該照明機器を駆動させることが可能でない場合には当該照明機器とそれよりも前記採光面部側にある前記照明機器に前記商用電力を供給することを特徴とする請求項１に記載の店舗用照明制御システム。
【請求項３】
前記制御手段は、前記発電電力不足時において、前記採光面部から離れた照明機器ほど先に前記発電電力により照明機器を駆動させることが可能か否かを判定し、判定の結果当該照明機器を駆動させることが可能でない場合には当該照明機器に前記商用電力を供給し、その後、当該照明機器よりも前記採光面部側の前記照明機器について前記発電電力により駆動させることが可能か否かを判定することを特徴とする請求項１に記載の店舗用照明制御システム。
【請求項４】
前記太陽光発電装置の発電電力を蓄える蓄電装置と、
前記太陽光発電装置の発電電力であって前記複数の照明機器に対して供給されず余剰となった余剰電力を、前記蓄電装置に供給する蓄電制御手段と、
を備えることを特徴とする請求項１乃至３のいずれか１項に記載の店舗用照明制御システム。
【発明の詳細な説明】
【技術分野】
【０００１】
本発明は、店舗用照明制御システムにかかり、特にコンビニエンスストア等の小規模店舗の店舗用照明制御システムに関する。
【背景技術】
【０００２】
近年、店舗として、店舗内空間を取り囲む外壁部の一面側にガラス窓が広く設けられ、このガラス窓を通じて採り込まれる太陽光によって店舗内が明るく照らされる構成になっているものがある。かかる店舗としては、例えばコンビニエンスストアが挙げられる。
【０００３】
店舗内には、照明機器が複数の箇所に設けられており、太陽光とともに店舗内を明るく照らしている。店舗内の各照明機器は、店員等により照明用スイッチがオン／オフされることで点灯及び消灯され、そのスイッチオン時には各照明機器に対して均等に電力供給がされるようになっている。これにより、店舗内の各所を均一の照度で照らすようにしている。また、近年、店舗の屋根上に太陽光パネルを設置して、太陽光パネルによる発電電力を用いて照明機器を駆動させる試みが一部で行われている。これによれば、店舗において省エネを図ることが期待できる。なお、特許文献１等には、店舗内の照明機器を制御する照明制御システムが開示されている。
【０００４】
また、例えばコンビニエンスストアでは、通常店舗内へ出入りするための出入口が、上記ガラス窓が設けられている側の面に設定されている。店舗内の出入口付近には、接客用のカウンタがガラス窓に直交する向きに設置され、カウンタに直交する向きに商品陳列棚が複数列設けられる。この場合、商品陳列棚の各列間に形成される通路スペース全域をカウンタ側から見通すことができるため、店員にとって顧客の様子を監視し易く、防犯性の観点から好ましい配置となっている。なお、このように配列された商品陳列棚は、換言すると、ガラス窓に対して平行に設けられている。
【先行技術文献】
【特許文献】
【０００５】
【特許文献１】特開２０１０−３３７７９号公報
【発明の概要】
【発明が解決しようとする課題】
【０００６】
ところで、上記のコンビニエンスストアでは、店舗内においてガラス窓と平行となる向きで商品陳列棚が設けられているため、ガラス窓を通じて射し込む太陽光の一部が商品陳列棚により遮られて、通路スペースが商品陳列棚の影になることがある。この場合、ガラス窓から離れた奥側の通路スペースほど太陽光が届きにくいため影になり、暗くなりがちである。そのため、複数の照明機器に均等に電力を供給してそれら照明機器を駆動し各通路スペースを照らした場合に、奥側の通路スペースほど照度が小さくなることが考えられる。
【０００７】
また、この点を鑑みると、店舗内の各通路スペースの照度を目標照度以上とするには、奥側の通路スペースの照度が目標照度となるように各照明機器を駆動させる必要がある。しかしながら、この場合奥側の通路スペース以外の通路スペースでは、照度が目標照度を超えてしまうことが想定され、その場合省エネ性の観点からすると無駄にエネルギを消費していることとなり好ましくない。
【０００８】
本発明は、上記事情に鑑みてなされたものであり、省エネ効果を高めることができる店舗用照明制御システムを提供することを主たる目的とするものである。
【課題を解決するための手段】
【０００９】
上記課題を解決すべく、第１の発明の店舗用照明制御システムは、店舗内スペースである商品陳列スペースに、互いに離間しかつ平行に複数の陳列棚が設置され、前記商品陳列スペースの内外を仕切るとともに前記複数の陳列棚に平行となる一側面の壁部に、前記商品陳列スペースに外光を取り込むための採光面部が設けられている店舗に適用され、前記店舗には、前記複数の陳列棚と前記壁との間、及び陳列棚同士の間に、複数の通路スペースが設けられており、前記商品陳列スペースの天井において前記複数の通路スペースごとに設けられる複数の照明機器と、太陽光発電を実施する太陽光発電装置と、前記太陽光発電装置から前記複数の照明機器に対して各々電力を供給する電力経路、及びそれら電力経路ごとに電力量を調整する電力調整手段を有する第１給電回路部と、前記採光面部に対する各照明機器の位置に応じて、前記太陽光発電装置から前記複数の照明機器への電力供給を前記電力調整手段により照明機器ごとに制御する制御手段と、
を備えることを特徴とする。
【００１０】
上記構成の店舗では、店舗内の商品陳列スペースに対して、一側面の壁部に設けられた採光面部から外光が取り込まれるが、採光面部に平行に設置される複数の陳列棚が影になって、各通路スペースにおいて明るさが相違することが考えられる。このとき、採光面部から離れる通路スペースほど、外光が届きにくく、暗くなりがちであると考えられる。この点、本発明では、通路スペースごとに設けられる複数の照明機器に対して、太陽光発電装置からの電力供給が個別に調整される構成となっており、特に、採光面部に対する各照明機器の位置に応じて、太陽光発電装置から複数の照明機器への電力供給が照明機器ごとに制御される。したがって、各通路スペースのうちどれが暗くなりがちかを考慮して太陽光発電装置の発電電力を振り分けることができ、ひいては商品陳列スペースにおける明るさを均等に保つことができる。
【００１１】
太陽光発電装置の発電の電力量には上限があり、かつ都度の天候により電力量が変動するが、こうした状況の下でも、どこを優先して発電電力を供給するかを切り替えることができ、太陽光発電電力を効果的に利用できる。以上により、省エネ効果を高めつつ、店舗内の好適なる照明制御を実現することができる。
【００１２】
第２の発明の店舗用照明制御システムは、第１の発明において、前記制御手段は、前記太陽光発電装置の発電電力を、前記複数の照明機器のうち前記採光面部から離れた照明機器ほど優先して分配供給することを特徴とする。
【００１３】
本発明によれば、太陽光発電装置の発電電力が、採光面部から離れた奥側の照明機器ほど優先して分配されるため、採光面部から離れているが故に暗くなりがちであって、高い駆動電力で駆動させる必要のある奥側の照明機器ほど優先して太陽光発電装置の発電電力が供給されるため、照明機器の駆動のためにより多くの太陽光発電電力を用いることができる。これにより、同発電電力の有効利用を図ることができ、より一層省エネ効果を高めることができる。
【００１４】
第３の発明の店舗用照明制御システムは、第１又は第２の発明において、前記太陽光発電装置の発電電力を算出する発電電力算出手段と、前記複数の通路スペースにおける照度情報を取得する取得手段と、前記取得手段により取得した各通路スペースの照度情報に基づいて、前記複数の照明機器の駆動に要する総駆動電力を算出する駆動電力算出手段と、を備え、前記制御手段は、前記駆動電力算出手段により算出した前記総駆動電力が、前記発電電力算出手段により算出した前記発電電力を上回った場合に、前記発電電力の不足分に応じて前記複数の照明機器に対する電力分配を制御することを特徴とする。
【００１５】
本発明によれば、複数の照明機器の駆動に要する総駆動電力が、太陽光発電装置の発電電力を上回った場合に、発電電力の不足分に応じて複数の照明機器に対する電力分配が制御される。この場合、太陽光発電電力の不足の度合いに応じて、その不足する発電電力を複数の照明機器により多く供給すべく、各照明機器への電力分配を行うことで、より一層省エネ効果を高めることが期待できる。
【００１６】
第４の発明の店舗用照明制御システムは、第３の発明において、商用電力を前記複数の照明機器に対して各々供給する第２給電回路部を備え、前記制御手段は、前記駆動電力算出手段により算出した前記総駆動電力に対して前記発電電力算出手段により算出した前記発電電力が不足している場合に、商用電力を前記第２給電回路部を介して前記複数の照明機器の少なくともいずれかに供給することを特徴とする。
【００１７】
本発明によれば、雨天等により、複数の照明機器の総駆動電力に対し太陽光発電装置の発電電力が不足している場合には、各照明機器のいずれかに商用電力を供給することで、発電電力の不足分を補うことができる。これにより、太陽光発電電力の不足時においても、各照明機器に必要な量の電力を供給でき、店舗内を好適に照らすことが可能となる。
【００１８】
第５の発明の店舗用照明制御システムは、第１乃至第４のいずれかの発明において、前記太陽光発電装置の発電電力を蓄える蓄電装置と、前記太陽光発電装置の発電電力であって前記複数の照明機器に対して供給されず余剰となった余剰電力を、前記蓄電装置に供給する蓄電制御手段と、を備えることを特徴とする。
【００１９】
本発明によれば、太陽光発電装置の発電電力のうち複数の照明機器に供給されず余剰となった余剰電力が蓄電装置に供給され同装置に蓄えられるため、その蓄えられた余剰電力を夜間に照明機器に供給する等して発電電力の有効利用を図ることができる。これにより、省エネ効果をさらに高めることができる。
【図面の簡単な説明】
【００２０】
【図１】店舗の間取りを示す平面図。
【図２】店舗内の構成を示す断面図。
【図３】照明システムの電気的構成を示す図。
【図４】照度制御処理を示すフローチャート。
【図５】不足時給電処理を示すフローチャート。
【図６】別例における不足時給電処理を示すフローチャート。
【発明を実施するための形態】
【００２１】
以下に、本発明を具体化した一実施の形態について図面を参照しつつ説明する。なお、図１は店舗の間取りを示す平面図であり、図２は店舗内の構成を示す断面図である。また、本実施形態では、店舗としてコンビニエンスストアを想定している。
【００２２】
図１に示すように、店舗１０は、全体として略直方体状に形成されており、その平面視において長方形状をなしている。店舗１０の外周部には、四方に外壁部１１が設けられている。これら四方の外壁部１１のうち長辺側の外壁部１１ａ，１１ｂの一方は、店舗１０内中央に設けられた商品陳列スペース２５に太陽光を採り入れるための採光用の壁部となっている。
【００２３】
長辺側外壁部１１ａには、商品陳列スペース２５に面した部分全域を含むようにして太陽光を店舗１０内に採り入れ可能な採光領域１６（採光面部に相当）が設定されている。長辺側外壁部１１ａにおいて、採光領域１６には、複数の窓ガラス１５が横並びに設けられている。窓ガラス１５は、図２に示すように、長辺側外壁部１１ａの下部を構成する下部外壁部１７の上方に設けられ、下部外壁部１７の上端から店舗１０の天井高さまでの上下全域に亘って延びている。この場合、窓ガラス１５は長辺側外壁部１１ａの上下方向ほぼ全域に延びており、より多くの太陽光を店舗１０内に取り込めるようになっている。
【００２４】
長辺側外壁部１１ａには、一部窓ガラス１５が設けられていない部分があり、その部分は店舗１０内への出入りを行うための出入口１８となっている。つまり、出入口１８は、横方向に隔てて設けられた２つの窓ガラス１５の間に形成されている。出入口１８には、当該出入口１８を開閉する出入口ドア１９が設けられている。出入口ドア１９は、強化ガラスにより構成されており、採光可能となっている。したがって、長辺側外壁部１１ａにおいて、採光領域１６は上記複数の窓ガラス１５と出入口ドア１９とにより構成されている。
【００２５】
店舗１０内には、商品陳列スペース２５を挟んだ両側のうちの一方に接客用のカウンタ３４が設けられ、他方に飲料用品を陳列した冷蔵ショーケース３９が設置されている。また、カウンタ３４の裏側には店員が休憩するための休憩室３６が設けられ、冷蔵ショーケース３９の裏側及び横隣にはそれぞれ倉庫３７とトイレ３８とが設けられている。
【００２６】
商品陳列スペース２５は、長辺側外壁部１１ａ，１１ｂと、それら外壁部１１ａ，１１ｂ間のカウンタ３４及び冷蔵ショーケース３９とにより囲まれた空間であり、本店舗１０では、主に各外壁部１１のうち長辺側外壁部１１ａを通じて太陽光が商品陳列スペース２５に取り込まれるようになっている。この場合、商品陳列スペース２５を囲む長辺側外壁部１１ａ以外の外壁部１１には、太陽光を商品陳列スペース２５に取り込むための窓部が設けられていない。なお、短辺側の外壁部１１のうちの一方には、長辺側外壁部１１ａに隣接してガラス窓２８がひとつだけ設置されているが、そのガラス窓２８を通じて取り込まれる太陽光は、そのガラス窓２８に面した通路２９周辺を照らすだけで、商品陳列スペース２５まで取り込まれることはほぼない。
【００２７】
商品陳列スペース２５には、菓子や日用品等の商品を陳列するための商品陳列棚２１が、長辺側外壁部１１ａに平行に複数列設けられている。商品陳列棚２１の各列（以下、陳列棚列２２という）は、長辺側外壁部１１ａ，１１ｂから離れた位置において互いに離間して平行に設けられている。商品陳列棚２１は、図２に示すように、店舗１０内の床面２３に対する高さ寸法Ｌ１が、床面２３から天井面２４までの高さ寸法（以下、天井高さＬ２という）の半分よりも大きい寸法に設定されている。本実施形態では、店舗１０内の天井高さＬ２が約２７００ｍｍに設定されているのに対し、商品陳列棚２１の高さ寸法Ｌ１が約１４００ｍｍに設定されている。なお、商品陳列棚２１の高さ寸法Ｌ１は、必ずしも天井高さＬ２の半分よりも大きくする必要はなく、Ｌ２の半分以下としてもよい。
【００２８】
商品陳列スペース２５において、複数の陳列棚列２２と長辺側外壁部１１ａ，１１ｂとの間及び、陳列棚列２２同士の間は、通路スペース２７となっている。通路スペース２７は、長辺側外壁部１１ａに直交する方向において４箇所設けられており、以下の説明ではこれら各通路スペース２７を長辺側外壁部１１ｂ側のものから長辺側外壁部１１ａ側のものに向かって順に第１通路スペース２７ａ、第２通路スペース２７ｂ、第３通路スペース２７ｃ、第４通路スペース２７ｄという。
【００２９】
なお、商品陳列スペース２５には、長辺側外壁部１１ａ，１１ｂの壁際に陳列什器２６が設置されている。例えば、長辺側外壁部１１ａの壁際には、陳列什器２６として書籍を陳列する書籍陳列棚２６ａや冷凍食品を陳列する冷凍ショーケース２６ｂ等が設置されており、長辺側外壁部１１ｂの壁際には、陳列什器２６として飲食品を陳列する冷蔵ショーケース２６ｃ等が設置されている。
【００３０】
商品陳列スペース２５には、各通路スペース２７ごとに照明機器３０が設置されている。なお、図１では、便宜上、各照明機器３０を一点鎖線で示している。各照明機器３０はそれぞれ複数のＬＥＤを光源として有するＬＥＤ照明機器よりなり、通路スペース２７の天井面２４に設置されている。照明機器３０は、ＬＥＤ駆動電流を調整することにより調光可能とされている。その詳細は後述する。
【００３１】
なお、照明機器３０は、必ずしもＬＥＤを光源として用いたものである必要はなく、蛍光灯や白色灯を光源としたものでもよい。また、以下の説明では、各通路スペース２７ａ〜２７ｄに設置された照明機器３０をそれぞれ、第１通路スペース２７ａ側から第４通路スペース２７ｄ側に向かって順に第１照明機器３０ａ、第２照明機器３０ｂ、第３照明機器３０ｃ、第４照明機器３０ｄという。
【００３２】
図２に示すように、店舗１０の屋根３３上には、太陽光が照射されることにより発電を行う太陽光パネル４０が設置されている。太陽光パネル４０は、屋根３３上におけるほぼ全域に亘り複数設置されている。本店舗１０では、太陽光パネル４０による発電電力を各照明機器３０に供給する構成としており、これにより省エネを図っている。また、本店舗１０には、各照明機器３０への電力供給を照明機器３０ごとに制御する照明制御システムが設けられている。以下、この照明制御システムについて説明する。
【００３３】
店舗１０内の各通路スペース２７には、それぞれ取得手段としての照度センサ４６が設けられている。照度センサ４６は、当該センサ４６が設置された通路スペース２７の照度を検知するセンサである。照度センサ４６は、商品陳列棚２１ｄにおいて通路スペース２７に面して設けられており、本実施形態では床面２３から約１ｍの高さ位置に設けられている。
【００３４】
次に、照明制御システムの電気的構成について図３に基づき説明する。なお、図３は照明制御システムの電気的構成を示す図である。
【００３５】
図３に示すように、太陽光パネル４０には電力線４１が接続されており、当該電力線４１から分岐された複数の分岐電力線４２ａ〜４２ｄはそれぞれ切替装置５０ａ〜５０ｄと接続されている。また、店舗１０には、分電盤４７が設けられ、分電盤４７には、商用電力（ＡＣ１００Ｖの交流電力）が送電線（図示略）を介して供給される。分電盤４７には、電力線４８が接続されており、当該電力線４８から分岐された複数の分岐電力線４９ａ〜４９ｄはそれぞれ切替装置５０ａ〜５０ｄと接続されている。よって、各切替装置５０ａ〜５０ｄにはそれぞれ、太陽光パネル４０から電力線４１，４２ａ〜４２ｄを介して発電電力が供給され、商用電力系統から電力線４８，４９ａ〜４９ｄを介して商用電力が供給される。
【００３６】
各切替装置５０ａ〜５０ｄはそれぞれ、電力線４３ａ〜４３ｄを介して照明機器３０ａ〜３０ｄと接続されている。切替装置５０ａ〜５０ｄは、太陽光パネル４０及び商用電力系統のいずれから照明機器３０ａ〜３０ｄに対し電力供給するかを切り替えるものである。切替装置５０ａ〜５０ｄの操作により分岐電力線４２ａ〜４２ｄと電力線４３ａ〜４３ｄとが接続されると、これら各電力線４２ａ〜４２ｄ，４３ａ〜４３ｄを介して太陽光パネル４０から照明機器３０ａ〜３０ｄに電力が供給される。一方、分岐電力線４９ａ〜４９ｄと電力線４３ａ〜４３ｄとが接続されると、これら各電力線４３ａ〜４３ｄ，４９ａ〜４９ｄを介して商用電力系統から照明機器３０に電力が供給される。したがって、各照明機器３０ａ〜３０ｄにはそれぞれ２系統の電力が供給可能となっており、２系統のうちいずれの電力を照明機器３０ａ〜３０ｄに供給するのかを照明機器３０ごとに個別に切り替えられるようになっている。
【００３７】
照明機器３０は、光を照射するＬＥＤ照明３１と、ＬＥＤ照明３１を駆動するＬＥＤ駆動回路３２とを有している。ＬＥＤ駆動回路３２は、スイッチング素子（例えばＭＯＳＦＥＴ）等を有してなる駆動用ドライバであり、スイッチング素子を断続的にオン／オフさせるものである。具体的には、ＬＥＤ駆動回路３２は、後述するコントローラ６０から出力されるＤｕｔｙ信号に基づいて駆動され、これにより太陽光パネル４０又は商用電力系統からＬＥＤ照明３１に供給される電力量がＰＷＭ制御される。そして、この電力量の制御によりＬＥＤ照明３１から照射される光の量が調整される。
【００３８】
なお、太陽光パネル４０から各照明機器３０ａ〜３０ｄまでの電力系統において、電力線４１，４２ａ〜４２ｄ及びＬＥＤ駆動回路３２により第１給電回路部が構成されている。ＬＥＤ駆動回路３２が電力調整手段に相当する。また、商用電力系統から各照明機器３０ａ〜３０ｄまでの電力系統において、電力線４８，４９ａ〜４９ｄ及びＬＥＤ駆動回路３２により第２給電回路部が構成されている。
【００３９】
電力線４１からは、各分岐電力線４２ａ〜４２ｄの他に、分岐電力線５２が分岐されており、この分岐電力線５２にはバッテリ５４が接続されている。蓄電装置としてのバッテリ５４は、太陽光パネル４０により発電された電力を蓄えるものである。太陽光パネル４０により発電された電力が電力線４１及び分岐電力線５２を介してバッテリ５４に供給されると、その供給された電力がバッテリ５４に蓄えられるようになっている。また、分岐電力線５２には、バッテリ５４への電力供給を遮断及び許可する遮断装置５６が設けられている。
【００４０】
店舗１０には、制御手段としてのコントローラ６０が設けられている。コントローラ６０は、ＣＰＵ等を有する周知のマイクロコンピュータにより構成されており、例えば休憩室３６の壁面に設けられている。
【００４１】
コントローラ６０には、発電量センサ４５が接続されている。発電量センサ４５は、太陽光パネル４０により発電された電力量を検出するセンサである。コントローラ６０には、発電量センサ４５から逐次検知結果が入力される。また、コントローラ６０には、各照度センサ４６ａ〜４６ｄが接続されており、これら各照度センサ４６ａ〜４６ｄからも逐次検知結果が入力される。
【００４２】
コントローラ６０は、これら各センサ４５，４６ａ〜４６ｄからの検知結果に基づいて、各切替装置５０ａ〜５０ｄを切替制御したり、ＬＥＤ駆動回路３２ａ〜３２ｄを駆動制御したり、遮断装置５６を開閉制御したりする。なお、図３では便宜上、コントローラ６０から各切替装置５０ａ〜５０ｄへの信号線を共通の信号線で示しているが、実際には各切替装置５０ａ〜５０ｄの切替操作は個別に制御される。また、コントローラ６０から各ＬＥＤ駆動回路３２ａ〜３２ｄへの信号線についても共通の信号線で示しているが、実際には各ＬＥＤ駆動回路３２ａ〜３２ｄは個別に制御される。
【００４３】
次に、コントローラ６０により実行される照明制御処理について図４に基づいて説明する。なお、図４は、照明制御処理を示すフローチャートである。また、本処理は、所定の周期で繰り返し実行される。
【００４４】
まず、ステップＳ１１では、各照度センサ４６ａ〜４６ｄからの検知結果に基づいて、各通路スペース２７ａ〜２７ｄの現在の照度情報を取得する。
【００４５】
ステップＳ１２では、各通路スペース２７ａ〜２７ｄの現在の照度に基づいて、各通路スペース２７ａ〜２７ｄの照度をそれぞれ目標照度とするのに要する照明機器３０ａ〜３０ｄの駆動電力を各照明機器３０ごとに算出する。以下、この駆動電力を必要駆動電力Ｑｗ１〜Ｑｗ４といい、Ｑｗ１、Ｑｗ２、Ｑｗ３、Ｑｗ４をそれぞれ第１照明機器３０ａ、第２照明機器３０ｂ、第３照明機器３０ｃ、第４照明機器３０ｄの必要駆動電力とする。目標照度は、通路スペース２７ａ〜２７ｄが十分な明るさとなる照度に設定されており、例えば８００ルクスに設定されている。なお、各通路スペース２７ａ〜２７ｄの目標照度は同じ値に設定されている。
【００４６】
ステップＳ１３では、ステップＳ１２で算出した各照明機器３０ａ〜３０ｄの必要駆動電力Ｑｗ１〜Ｑｗ４を総和し、必要総駆動電力Ｑｗｔを算出する。すなわち、この必要総駆動電力Ｑｗｔは、すべての通路スペース２７ａ〜２７ｄの照度を目標照度とするのに要する照明機器３０ａ〜３０ｄ全体の総駆動電力である。
【００４７】
ステップＳ１４では、発電量センサ４５からの検知結果に基づいて、太陽光パネル４０の都度の発電電力Ｑｐを算出する。つまり、現時点において太陽光パネル４０から照明機器３０ａ〜３０ｄに供給可能な電力量を算出する。
【００４８】
ステップＳ１５では、各通路スペース２７ａ〜２７ｄの照度を目標照度とするのに要する照明機器３０ａ〜３０ｄの必要総駆動電力Ｑｗｔを、太陽光パネル４０からの給電だけで賄えるか否かを判定する。つまり、太陽光パネル４０の現時点の発電電力Ｑｐが、照明機器３０の現時点の必要総駆動電力Ｑｗｔ以上であるか否かを判定する。太陽光パネル４０からの給電だけで照明機器３０の必要総駆動電力Ｑｗｔを賄える場合は、ステップＳ１９に進む。
【００４９】
ステップＳ１９では、各照明機器３０ａ〜３０ｄに対して太陽光パネル４０から給電を行う。この場合、太陽光パネル４０の発電電力が各照明機器３０ａ〜３０ｄに供給されるように各切替装置５０ａ〜５０ｄを切替操作するとともに、ステップＳ１３で算出した各照明機器３０ａ〜３０ｄ（ＬＥＤ照明３１ａ〜３１ｄ）の必要駆動電力Ｑｗ１〜Ｑｗ４に応じたＤｕｔｙ信号を各ＬＥＤ駆動回路５２ａ〜５２ｄに出力する。これにより、太陽光パネル４０から各ＬＥＤ照明３１ａ〜３１ｄにそれぞれ必要駆動電力Ｑｗ１〜Ｑｗ４に相当する電力が供給される。したがって、各ＬＥＤ照明３１ａ〜３１ｄから照射される光により各通路スペース２７ａ〜２７ｄの照度がそれぞれ目標照度とされる。その後、ステップＳ１７に進む。
【００５０】
一方、ステップＳ１５において、太陽光パネル４０からの給電だけで照明機器３０の必要総駆動電力Ｑｗｔを賄えない場合は、ステップＳ１６に進み、不足時給電処理を実行する。この不足時給電処理では、長辺側外壁部１１ａ（採光領域１６）から離れた照明機器３０ほど優先して、すなわち第１照明機器３０ａ、第２照明機器３０ｂ、第３照明機器３０ｃ、第４照明機器３０ｄの順に優先して太陽光パネル４０から電力が供給される一方、同パネル４０からの電力が供給されない照明機器３０に対しては商用電力が供給される。以下、この不足時給電処理について図５に基づいて説明する。なお、図５は、不足時給電処理を示すフローチャートである。
【００５１】
図５に示すように、まずステップＳ２１では、第１通路スペース２７ａの照度を目標照度とするのに要する第１照明機器３０ａの必要駆動電力Ｑｗ１を太陽光パネル４０からの給電により賄えるか否かを判定する。つまり、太陽光パネル４０の現時点の発電電力Ｑｐが第１照明機器３０ａの必要駆動電力Ｑｗ１以上であるか否かを判定する。太陽光パネル４０からの給電により第１照明機器３０ａの必要駆動電力Ｑｗ１を賄えない場合にはステップＳ２３に進む。
【００５２】
ステップＳ２３では、各照明機器３０ａ〜３０ｄに対して商用電力系統から給電を行う。この場合、商用電力が各照明機器３０ａ〜３０ｄに供給されるように、各切替装置５０ａ〜５０ｄを切替操作するとともに、ステップＳ１３で算出した各照明機器３０ａ〜３０ｄ（ＬＥＤ照明３１ａ〜３１ｄ）の必要駆動電力Ｑｗ１〜Ｑｗ４に応じたＤｕｔｙ信号を各ＬＥＤ駆動回路５２ａ〜５２ｄに出力する。これにより、商用電力系統から各ＬＥＤ照明３１ａ〜３１ｄにそれぞれ必要駆動電力Ｑｗ１〜Ｑｗ４に相当する電力が供給される。そのため、各ＬＥＤ照明３１ａ〜３１ｄから照射される光により各通路スペース２７ａ〜２７ｄの照度がそれぞれ目標照度とされる。その後、本処理を終了する。
【００５３】
ステップＳ２１において、太陽光パネル４０からの給電により第１照明機器３０ａの必要駆動電力Ｑｗ１を賄える場合には、ステップＳ２２に進み、第１照明機器３０ａに対して太陽光パネル４０から給電を行う。この場合、太陽光パネル４０の発電電力が第１照明機器３０ａに供給されるように切替装置５０ａを切替操作するとともに、第１照明機器３０ａの必要駆動電力Ｑｗ１に対応するＤｕｔｙ信号を第１ＬＥＤ駆動回路５２ａに出力する。これにより、太陽光パネル４０から第１ＬＥＤ照明３１ａに必要駆動電力Ｑｗ１に相当する電力が供給される。したがって、ＬＥＤ照明３１ａから照射される光により第１通路スペース２７ａの照度が目標照度とされる。その後、ステップＳ２４に進む。
【００５４】
以下のステップＳ２４〜Ｓ３２では、上記ステップＳ２１〜Ｓ２３と基本的に同様の流れで、第２照明機器３０ｂ、第３照明機器３０ｃ、第４照明機器３０ｄについての給電処理を行う。そのため、これらのステップＳ２４〜Ｓ３２については説明を簡単にする。
【００５５】
ステップＳ２４では、太陽光パネル４０から第１照明機器３０ａに給電を実施している場合において、第２通路スペース２７ｂの照度を目標照度とするのに要する第２照明機器３０ｂの必要駆動電力Ｑｗ２を同パネル４０からの給電により賄えるか否かを判定する。太陽光パネル４０からの給電により第２照明機器３０ｂの必要駆動電力Ｑｗ２を賄えない場合にはステップＳ２６に進み、商用電力系統から第２照明機器３０ｂ〜第４照明機器３０ｄにそれぞれ必要駆動電力Ｑｗ２〜Ｑｗ４に相当する電力を供給する。その後、本処理を終了する。太陽光パネル４０からの給電により第２照明機器３０ｂの必要駆動電力Ｑｗ２を賄える場合にはステップＳ２５に進み、太陽光パネル４０から第２照明機器３０ｂに必要駆動電力Ｑｗ２に相当する電力を供給する。その後、ステップＳ２７に進む。
【００５６】
ステップＳ２７では、太陽光パネル４０から第１照明機器３０ａ及び第２照明機器３０ｂに給電を実施している場合において、第３通路スペース２７ｃの照度を目標照度とするのに要する第３照明機器３０ｃの必要駆動電力Ｑｗ３を太陽光パネル４０からの給電により賄えるか否かを判定する。太陽光パネル４０からの給電により第３照明機器３０ｃの必要駆動電力Ｑｗ３を賄えない場合にはステップＳ３１に進み、商用電力系統から第３照明機器３０ｃ及び第４照明機器３０ｄにそれぞれ必要駆動電力Ｑｗ３、Ｑｗ４に相当する電力を供給する。その後、本処理を終了する。太陽光パネル４０からの給電により第３照明機器３０ｃの必要駆動電力Ｑｗ３を賄える場合にはステップＳ２８に進み、太陽光パネル４０から第３照明機器３０ｃに必要駆動電力Ｑｗ３に相当する電力を供給する。その後、ステップＳ３０に進む。
【００５７】
ステップＳ３０では、太陽光パネル４０から第１照明機器３０ａ乃至第３照明機器３０ｃに給電を実施している場合において、第４通路スペース２７ｄの照度を目標照度とするのに要する第４照明機器３０ｄの必要駆動電力Ｑｗ４を太陽光パネル４０からの給電により賄えるか否かを判定する。太陽光パネル４０からの給電により第４照明機器３０ｄの必要駆動電力Ｑｗ４を賄えない場合にはステップＳ３２に進み、商用電力系統から第４照明機器３０ｄに必要駆動電力Ｑｗ４に相当する電力を供給する。その後、本処理を終了する。太陽光パネル４０からの給電により第４照明機器３０ｄの必要駆動電力Ｑｗ４を賄える場合にはステップＳ３１に進み、太陽光パネル４０から第４照明機器３０ｄに必要駆動電力Ｑｗ４に相当する電力を供給する。その後、本処理を終了する。
【００５８】
図４の説明に戻り、ステップＳ１６の後のステップＳ１７では、太陽光パネル４０の発電電力のうち各照明機器３０に供給されず余剰となった余剰電力があるか否かを判定する。この判定は、ステップＳ１４で算出された太陽光パネル４０の発電電力Ｑｐが、太陽光パネル４０から各照明機器３０ａ〜３０ｄに供給された総電力量よりも大きいか否かに基づいて行う。太陽光パネル４０の発電電力に余剰がない場合には、本処理を終了する。それに対し太陽光パネル４０の発電電力に余剰がある場合には、ステップＳ１８に進む。
【００５９】
ステップＳ１８では、遮断装置５６を閉操作することで太陽光パネル４０の発電電力の余剰分をバッテリ５４に供給する。これにより、余剰電力によりバッテリ５４が充電される。そのため、バッテリ５４の蓄電電力を夜間に照明機器３０に供給する等、太陽光パネル４０の発電電力を有効利用できる。その後、本処理を終了する。
【００６０】
以上、詳述した本実施形態の構成によれば、以下の優れた効果が得られる。
【００６１】
商品陳列スペース２５の天井において複数の通路スペース２７ごとに設けられた複数の照明機器３０と、太陽光発電を実施する太陽光パネル４０と、太陽光パネル４０から複数の照明機器３０に対して各々電力を供給する電力経路（電力線４２ａ〜４２ｄ，４３ａ〜４３ｄ等）、及びそれら電力経路ごとに電力量を調整する電力調整手段（ＬＥＤ駆動回路３２）を有する第１給電回路部と、を設けた。そして、採光領域１６に対する各照明機器３０の位置に応じて、太陽光パネル４０から複数の照明機器３０への電力供給を電力調整手段により照明機器３０ごとに制御するようにした。したがって、各通路スペース２７のうちどれが暗くなりがちかを考慮して太陽光パネル４０の発電電力を振り分けることができ、ひいては商品陳列スペース２５における明るさを均等に保つことができる。また、太陽光パネル４０の発電の電力量には上限があり、かつ都度の天候により電力量が変動するが、こうした状況の下でも、どこを優先して発電電力を供給するかを切り替えることができ、太陽光発電電力を効果的に利用できる。以上により、省エネ効果を高めつつ、店舗１０内の好適なる照明制御を実現できる。
【００６２】
太陽光パネル４０の発電電力を、複数の照明機器３０のうち採光領域１６から離れた奥側の照明機器３０ほど優先して分配供給するようにした。具体的には、図５の不足時給電処理において、奥側の照明機器３０ほど先に太陽光発電電力で照明駆動が可能か否かを判定し、その結果に応じて奥側ほど優先して太陽光電力を供給する構成とした。この場合、採光領域１６から離れているが故に暗くなりがちな奥側の通路スペース２７ほど優先して照明機器３０により照らすことができるため、商品陳列スペース２５の明るさを均等に保つのに好適な構成となっている。また、暗くなりがちな奥側の通路スペース２７に設置されているが故に、高い駆動電力で駆動させる必要のある奥側の照明機器３０ほど優先して発電電力が供給されるため、照明機器３０の駆動のためにより多くの太陽光発電電力を用いることができる。これにより、同発電電力の有効利用を図ることができ、より一層省エネ効果を高めることができる。
【００６３】
照度センサ４６により検知された各通路スペース２７の照度情報に基づいて、複数の照明機器３０の駆動に要する必要総駆動電力Ｑｗｔを算出し、その算出した必要総駆動電力Ｑｗｔが、算出した太陽光パネル４０の発電電力Ｑｐを上回った場合に、発電電力の不足分に応じて複数の照明機器３０に対する電力分配を制御するようにした。この場合、太陽光発電電力の不足の度合いに応じて、その不足する発電電力を複数の照明機器３０により多く供給すべく、各照明機器３０への電力分配を行うことで、より一層省エネ効果を高めることができる。
【００６４】
商用電力を複数の照明機器３０に対して各々供給する第２給電回路部を設け、算出した複数の照明機器３０の必要総駆動電力Ｑｗｔに対して、算出した太陽光パネル４０の発電電力が不足している場合に、商用電力を第２給電回路部を介して複数の照明機器３０の少なくともいずれかに供給するようにした。これにより、雨天等により、必要総駆動電力Ｑｗｔに対して太陽光パネル４０の発電電力が不足している場合でも、各照明機器３０のいずれかに商用電力を供給することで、発電電力の不足分を補うことができる。これにより、太陽光パネル４０の発電電力の不足時にも、各照明機器３０に必要な量の電力を供給でき、店舗１０内を好適に照らすことが可能となる。
【００６５】
太陽光パネル４０の発電電力を蓄えるバッテリ５４を設け、同パネル４０の発電電力であって複数の照明機器３０に対して供給されず余剰となった余剰電力が生じた場合に、その余剰電力をバッテリ５４に供給するよう制御した。この場合、バッテリ５４に蓄えた余剰電力を夜間に照明機器３０に供給する等して発電電力の有効利用を図ることができる。これにより、省エネ効果をさらに高めることができる。
【００６６】
各照度センサ４６ａ〜４６ｄにより検知された通路スペース２７ａ〜２７ｄの照度に基づいて、複数の照明機器３０の駆動に要する必要総駆動電力Ｑｗｔを算出した。この場合、各通路スペース２７ａ〜２７ｄの実際の照度に基づいて必要総駆動電力Ｑｗｔが算出されるため、精度の高い算出が可能となる。
【００６７】
本発明は上記実施形態に限らず、例えば次のように実施されてもよい。
【００６８】
（１）図５に示す不足時制御処理を、図６に示すような処理に代えてもよい。本例では、太陽光パネル４０の発電電力により各照明機器３０ａ〜３０ｄの必要駆動電力Ｑｗ１〜Ｑｗ４をそれぞれ賄えるか否かを照明機器３０ごとに判定し、賄えると判定した場合には太陽光パネル４０から、賄えないと判定した場合には商用電力系統から各照明機器３０ａ〜３０ｄにそれぞれ給電を実施するようにしている。
【００６９】
図６に示すように、まずステップＳ４１では太陽光パネル４０による発電電力により第１照明機器３０ａの必要駆動電力Ｑｗ１を賄えるか否かを判定する。必要駆動電力Ｑｗ１を賄える場合はステップＳ４２に進み、第１照明機器３０ａに対し太陽光パネル４０の発電電力を供給する。必要駆動電力Ｑｗ１を賄えない場合はステップＳ４３に進み、第１照明機器３０ａに対し商用電力系統から商用電力を供給する。図５では、太陽光パネル４０の発電電力により必要駆動電力Ｑｗ１を賄えない場合には、各照明機器３０ａ〜３０ｄにそれぞれ商用電力を供給していたが（ステップＳ２３）、本例では第１照明機器３０ａにのみ商用電力を供給するようにしている。そして、第１照明機器３０ａに太陽光パネル４０及び商用電力系統のいずれから給電された場合にも、ステップＳ４４に進む。
【００７０】
ステップＳ４４では、太陽光パネル４０の発電電力により第２照明機器３０ｂの必要駆動電力Ｑｗ２を賄えるか否かを判定し、必要駆動電力Ｑｗ２を賄える場合はステップＳ４５に進み、第２照明機器３０ｂに対し太陽光パネル４０の発電電力を供給する一方、必要駆動電力Ｑｗ２を賄えない場合はステップＳ４６に進み、第２照明機器３０ｂに対し商用電力系統から商用電力を供給する。
【００７１】
以下、ステップＳ４７〜Ｓ５２において、第３照明機器３０ｃ及び第４照明機器３０ｄについて同様の処理を行う。これらのステップＳ４７〜Ｓ５２の説明は割愛する。
【００７２】
上記の処理によれば、各照明機器３０のうち必要駆動電力Ｑｗの大きい照明機器３０に対して、太陽光パネル４０の発電電力を供給できない（つまり賄えない）場合でも、必要駆動電力Ｑｗの小さい照明機器３０に対して太陽光パネル４０の発電電力を供給できるため、同発電電力を有効に利用することができる。
【００７３】
（２）上記実施形態では、各照度センサ４６ａ〜４６ｄの検知結果に基づいて、通路スペース２７ａ〜２７ｄの照度情報を取得する構成としたが、これを変更してもよい。例えば、予め取得した各通路スペース２７ａ〜２７ｄの照度情報を記憶手段（コントローラ６０のメモリなど）に記憶しておき、その記憶された照度情報を読み出すことにより通路スペース２７ａ〜２７ｄの照度情報を取得するようにしてもよい。ここで、記憶手段に記憶する各通路スペース２７ａ〜２７ｄの照度情報としては、照明機器３０の消灯時における各通路スペース２７ａ〜２７ｄの照度、すなわち太陽光の照射のみによって得られる各通路スペース２７ａ〜２７ｄの照度が挙げられる。この場合、各照明機器３０ａ〜３０ｄをどの程度の駆動電力で駆動させれば各通路スペース２７ａ〜２７ｄを目標照度にすることができるかを算出できるため、複数の照明機器３０の必要総駆動電力Ｑｗｔを算出できる。
【００７４】
また、上記実施形態では、各通路スペース２７ａ〜２７ｄごとに照度センサ４６ａ〜４６ｄを設けたが、各通路スペース２７ａ〜２７ｄのうち１乃至３つの通路スペース２７に照度センサ４６ａ〜４６ｄを設けてもよい。この場合、予め各通路スペース２７ごとの照度差に関する情報（例えば照明機器３０消灯時における照度差情報）を取得して記憶手段に記憶しておき、照度センサ４６による検知結果と該記憶した照度差情報とに基づいて必要総駆動電力Ｑｗｔを算出することができる。
【００７５】
（３）太陽光パネル４０の発電電力を、照明機器３０に加えて、店舗１０内に設置された空調装置や冷蔵ショーケース２１ｃ等その他の電気機器に供給してもよい。例えば太陽光パネル４０の発電電力に余剰がある場合に、その余剰電力を上記の電気機器に供給するようにすれば、太陽光パネル４０の発電電力をより一層有効利用でき、省エネ効果を高めることができる。
【００７６】
（４）上記実施形態では、コンビニエンスストアに本発明の店舗照明制御システムを適用したが、スーパーマーケット等その他の店舗に本システムを適用してもよい。
【符号の説明】
【００７７】
１０…店舗、１１…外壁部、１６…採光面部としての採光領域、２１…陳列棚としての商品陳列棚、２７…通路スペース、３０…照明機器、４６…取得手段としての照度センサ、５４…蓄電装置としてのバッテリ、６０…制御手段としてのコントローラ。
【図１】
0005661395.tif 000002
【図２】
0005661395.tif 000003
【図３】
0005661395.tif 000004
【図４】
0005661395.tif 000005
【図５】
0005661395.tif 000006
【図６】
0005661395.tif 000007